(57)【要約】【課題】手元をより明るくして視認性を向上させ、眼鏡をかけていない人でも使用することができ、室内の暗所や夜間でも多種の使い方ができる照明付き眼鏡フレームを提供する。【解決手段】眼鏡フレーム１と、前記眼鏡フレーム１に着脱自在に取り付けらた発光部を有するボディ１０とからなり、前記ボディ１０は、下面に前記眼鏡フレーム１を挟み込む溝部１９が形成されると共に該溝部１９には前記眼鏡フレーム１を固定するための複数の突起１９ａ，１９ｂ，１９ｃ，１９ｄが形成され、前記ボディ１０の端部には別体に形成された前記発光部１１の駆動用電池ボックス１５に接続する接続コネクタ部１３が設けられ、前記ボディ１０の内部には前記発光部１１と接続コネクタ部１３を接続する配線ケーブル１２が埋め込まれる構成とした。【選択図】        図１
2004163839.tif 000002
【特許請求の範囲】
【請求項１】
眼鏡フレームと、前記眼鏡フレームに着脱自在に取り付けらた発光部を有するボディとからなり、
前記ボディは、下面に前記眼鏡フレームを挟み込む溝部が形成されると共に該溝部には前記眼鏡フレームを固定するための複数の突起が形成され、
前記ボディの端部には別体に形成された前記発光部の駆動用電池ボックスに接続する接続コネクタ部が設けられ、前記ボディの内部には前記発光部と接続コネクタ部を接続する配線ケーブルが埋め込まれていることを特徴とする照明付き眼鏡フレーム。
【請求項２】
前記発光部は複数の高輝度発光ダイオードから構成され、前記駆動用電池ボックスには充電式バッテリと、前記充電式バッテリを断続するスイッチを有することを特徴とする照明機構付き眼鏡フレーム。
【請求項３】
略眼鏡フレーム形状に形成されたボディの略中央部に複数の高輝度発光ダイオードから構成された発光部が設けられ、
前記ボディの前記発光部近傍には眼鏡レンズの取り付け部が形成されると共に前記ボディの端部には別体に形成された前記発光部の駆動用電池ボックスに接続する接続コネクタ部が設けられ、前記ボディの内部には前記発光部と接続コネクタ部を接続する配線ケーブルが埋め込まれていることを特徴とする照明付き眼鏡フレーム。
【請求項４】
略眼鏡フレーム形状に形成されたボディのテンプルに前方を照明するように一体に形成された発光部が設けられ、
前記ボディの中央部近傍には眼鏡レンズの取り付け部が形成されると共に  前記ボディの端部には別体に形成された前記発光部の駆動用電池ボックスに接続する接続コネクタ部が設けられ、前記ボディの内部には前記発光部と接続コネクタ部を接続する配線ケーブルが埋め込まれていることを特徴とする照明付き眼鏡フレーム。
【発明の詳細な説明】
【０００１】
【発明の属する技術分野】
本発明は、夜間や暗所でも照明可能な照明付き眼鏡フレームに関する。
【０００２】
【従来の技術】
従来、眼鏡フレームに様々な機能を持たせるために眼鏡フレームに発光素子などを取り付けた眼鏡フレームがあった。特開平２−１８１７２２号公報は、発光機能付きのメガネフレームを開示しており、レンズの周辺部に位置して、レンズの内方にに向かって発光可能な発光部と、その発光部を所定のタイミングで発光させる発光制御部とを備えてなることを特徴とすることが記載されている。
【０００３】
また、特開２００１−３１８３４７号公報には、発光ダイオードを取り付けた眼鏡フレームが開示されており、レンズ枠からこのレンズを通して見る視覚対象物までの視距離を非接触な方法で測る測距離手段と、前記視距離が特定の範囲内になると警報する手段とを有する眼鏡フレームが記載されている。
【０００４】
【発明が解決しようとする課題】
しかしながら、特開平２−１８１７２２号公報に開示された眼鏡フレームには、レンズの周辺部に位置して設けられた発光素子が具体的に何であるかは開示されておらず、その発光素子を照明に使用することについては何ら示唆もされていない。また、特開２００１−３１８３４７号公報に開示された眼鏡フレームには、眼鏡フレームの中央部に発光ダイオードを取り付けることは記載されているが、この発光ダイオードは視距離を測定するためのものであり、照明に使用するために高輝度発光ダイオードを使用することは開示されていない。
【０００５】
本発明は上述した従来の問題点に鑑みなされたもので、手元をより明るくして視認性を向上させ、眼鏡をかけていない人でも使用することができ、室内の暗所や夜間でも多種の使い方ができる照明付き眼鏡フレームを提供するものである。
【０００６】
【課題を解決するための手段】
本発明の照明付き眼鏡フレームは、眼鏡フレームと、前記眼鏡フレームに着脱自在に取り付けらた発光部を有するボディとからなり、前記ボディは、下面に前記眼鏡フレームを挟み込む溝部が形成されると共に該溝部には前記眼鏡フレームを固定するための複数の突起が形成され、前記ボディの端部には別体に形成された前記発光部の駆動用電池ボックスに接続する接続コネクタ部が設けられ、前記ボディの内部には前記発光部と接続コネクタ部を接続する配線ケーブルが埋め込まれていることを特徴とするものである。
【０００７】
また、本発明の照明付き眼鏡フレームにおける発光部は、複数の高輝度発光ダイオードから構成され、前記駆動用電池ボックスには充電式バッテリと、前記充電式バッテリを断続するスイッチを有することを特徴としている。
【０００８】
また、本発明の照明付き眼鏡フレームは、略眼鏡フレーム形状に形成されたボディの略中央部に複数の高輝度発光ダイオードから構成された発光部が設けられ、前記ボディの前記発光部近傍には眼鏡レンズの取り付け部が形成されると共に前記ボディの端部には別体に形成された前記発光部の駆動用電池ボックスに接続する接続コネクタ部が設けられ、前記ボディの内部には前記発光部と接続コネクタ部を接続する配線ケーブルが埋め込まれていることを特徴としている。
【０００９】
さらに、本発明の照明付き眼鏡フレームは、略眼鏡フレーム形状に形成されたボディのテンプルに前方を照明するように一体に形成された発光部が設けられ、前記ボディの中央部近傍には眼鏡レンズの取り付け部が形成されると共に  前記ボディの端部には別体に形成された前記発光部の駆動用電池ボックスに接続する接続コネクタ部が設けられ、前記ボディの内部には前記発光部と接続コネクタ部を接続する配線ケーブルが埋め込まれていることを特徴とするものである。
【００１０】
【発明の実施の形態】
本発明に係る照明付き眼鏡フレームの実施の形態を図に基づいて説明する。図１は本発明に係る照明付き眼鏡フレームの第１の実施の形態を示す正面図、図２は図１の照明付き眼鏡フレームの構造を示す上面の平面図、図３は図１の照明付き眼鏡フレームの構造を示す下面の平面図、図４は図１の照明付き眼鏡フレームにおける照明の回路図、図５は図１の照明付き眼鏡フレームにおけるボデイの固定構造を示す一部破断の側面図である。
【００１１】
本発明に係る照明付き眼鏡フレームＡは、図１乃至図４に示すように、眼鏡フレーム１と、眼鏡フレーム１の略中央部に着脱自在に取り付けらたボデイ１０とから構成されている。このボデイ１０は、発光部１１が組み込まれたもので、発光部１１を構成する複数の高輝度発光ダイオードから構成されている。また、ボデイ１０と別体の電池ボックス１５は接続コネクタ部１３で接続されており、接続コネクタ部１３と発光部１２はボデイ１０内の配線ケーブル１２により接続されている。さらに、電池ボックス１５にはバッテリ１６が収納され、バッテリ１６の接続を断続するスイッチ１７が取り付けられている。そして、電池ボックス１５と接続プラグ１４は接続ケーブル１８で接続されている。
【００１２】
また、図２に示すように、ボデイ１０は、ＡＢＳ樹脂等の合成樹脂から形成され、眼鏡フレーム１の形状に合わせてＬ字状に曲げられており、端部には電池ボックス１５の接続コネクタ部１３が設けられている。発光部１１は肉厚に形成され、内部に３個に高輝度発光ダイオード１１ａ，１１ｂ，１１ｃが埋め込まれている。この高輝度発光ダイオードは、径が１０φタイプのもので、３．６Ｖ、３０ｍＡで駆動し、９０００ｍｃｄの輝度を持つものである。さらに、小型の高輝度発光ダイオードを使用する場合には５φタイプのものを使用することができ、照射角度５０°、３．６Ｖ、２０ｍＡ、１５６０ｍｃｄのものか、照射角度２０°、３．６Ｖ、２０ｍＡ、５６００ｍｃｄものを使用することもできる。
【００１３】
また、電池ボックス１５のバッテリ１６は、充電式バッテリを使用しており、一般に市販されている単３のＮｉ−ｃｄ電池（起電力１．２Ｖ）のものを３個直列に使用するものである。この電池ボックス１５は、ポケット等に入れておき、電池ボックス１５とボデイ１０は、接続コネクタ１３と接続ピン１４を介して接続コード１８で接続される。そして、この電池ボックス１５は、照明付き眼鏡フレームＡを使用しない時に図示しない充電器に接続して充電される。
【００１４】
また、図３に示すように、ボデイ１０の下側は、眼鏡フレーム１を挟み込むための溝部１９が形成されており、発光部１１の近傍には、溝部１９の内側に向かって４か所の突起１９ａ，１９ｂ，１９ｃ，１９ｄが形成され、眼鏡フレーム１にボデイ１０を固定できるようになっている。
【００１５】
図５は、眼鏡フレーム１にボデイ１０を固定した状況を示すもので、ボデイ１０の前部１０ａと後部１０ｂにより眼鏡フレーム１を挟み込み、突起１９ａ，１９ｂ，１９ｃ，１９ｄでレンズ２を挟み込むこにより、眼鏡フレーム１にボデイ１０を固定するものである。
【００１６】
，このように構成された照明付き眼鏡フレームＡは、既存の眼鏡フレーム１にボデイ１０をワンタッチで簡単に着脱できるので、使い勝手が良く、手元を明るくして視認性を向上させることができ、非常に利便性に優れている。また、重量のかさむ電池ボックス１５を別体とすることによりボディ１０を軽くすることができるので、照明付き眼鏡フレーム全体を軽くすることができ、照明付き眼鏡フレームを使用する場合の疲労感を軽減できる。
【００１７】
また、発光部１２に高輝度発光ダイオードを使用しているので、発光部１２を小型軽量化することができ、明るく発熱することがなく白熱ランプに比べてはるかに長寿命であり、しかも消費電力が極端に少ないのでバッテリも小型化することができ、携帯に非常に便利なものである。
【００１８】
この照明付き眼鏡フレームＡは、夜間や暗所の様々な場所で使用することができる。例えば、自宅内の暗所、会社の事務所内、公共建物内、映画館内、講演会場内、研究所内、精密機器製作場所、電車の室内、乗用車の室内、バスの室内、飛行機の室内等、あらゆる場所において使用可能なものである。
【００１９】
図６乃至図１０に示すのは、本発明の照明付き眼鏡フレームの第２の実施の形態を示すものである。この照明付き眼鏡フレームＢは、略眼鏡フレーム形状に形成されたボディ２０の略中央部に複数の高輝度発光ダイオードから構成された発光部２１が設けられ、前記ボディ２０の前記発光部２１近傍には眼鏡レンズの取り付け部が形成されると共に前記ボディ２０の端部には別体に形成された前記発光部の駆動用電池ボックス１５に接続する接続コネクタ部２３が設けられ、前記ボディの内部には前記発光部と接続コネクタ部を接続する配線ケーブル２４が埋め込まれている。
【００２０】
この照明付き眼鏡フレームＢに使用される発光部は、３個の高輝度発光ダイオード２１ａ，２１ｂ，２１ｃより構成されている。この高輝度発光ダイオード２１ａ，２１ｂ，２１ｃは、前述した照明付き眼鏡フレームＡに使用された高輝度発光ダイオードと同様に、径が１０φタイプのもので、３．６Ｖ、３０ｍＡで駆動し、９０００ｍｃｄの輝度を持つものである。
【００２１】
また、この照明付き眼鏡フレームＢのボディ２０は、眼鏡フレームを兼用しているので、図６に示すように、折り曲げ部２５を備えている。そのため、回路上においても、図８に示すように、この折り曲げ部２５には開閉接点部２６を設けてある。この開閉接点部２６は、不使用時にボディ２０を折り畳んだ場合には接点部２６ａ，２６ｂがオープン状態となり、使用時には接点部２６ａ，２６ｂが接触して導電状態となるものである。
【００２２】
また、この照明付き眼鏡フレームＢの眼鏡レンズの取り付け部は、図９に示すように、ボディ２０の下面に溝部２７が形成されており、この溝部２７にレンズ３を挟み込み、溝部２７に形成された突起２７ａ，２７ｂをレンズ３に形成された取り付け孔３ａに嵌着させることにより、ボディ２０にレンズを固定するものである。
【００２３】
このように構成された照明付き眼鏡フレームＢは、眼鏡フレームに一体に発光部が取り付けられているので、眼鏡を使用しない場合でもボディ２０のみを照明装置として使用できるので、使い勝手が良く、手元を明るくして視認性を向上させることができ、非常に利便性に優れている。また、重量のかさむ電池ボックス１５を別体とすることによりボディ２０を軽くすることができるので、照明付き眼鏡フレーム全体を軽くすることができ、照明付き眼鏡フレームを使用する場合の疲労感を軽減できる。
【００２４】
この照明付き眼鏡フレームＢは、照明付き眼鏡フレームＡと同様に夜間や暗所の様々な場所で使用することができる。例えば、自宅内の暗所、会社の事務所内、公共建物内、映画館内、講演会場内、研究所内、精密機器製作場所、電車の室内、乗用車の室内、バスの室内、飛行機の室内等、あらゆる場所において使用可能なものである。
【００２５】
また、図１１乃至図１３に示すのは、本発明の照明付き眼鏡フレームの第３の実施の形態を示すものである。この照明付き眼鏡フレームＣは、略眼鏡フレーム形状に形成されたボディ３０のテンプル３１に前方を照明するように一体に形成された発光部３２が設けられ、前記ボディの中央部近傍には眼鏡レンズの取り付け部が形成されると共に前記ボディ３０の端部には別体に形成された前記発光部３２の駆動用電池ボックス１５に接続する接続コネクタ部３３が設けられ、前記ボディ３０の内部には前記発光部３２と接続コネクタ部３３を接続する配線ケーブル３４が埋め込まれている。
【００２６】
この照明付き眼鏡フレームＣに使用される発光部３２は、それぞれ１個の高輝度発光ダイオード３２ａ，３２ａり構成されている。この高輝度発光ダイオード３２ａは、前述した照明付き眼鏡フレームＡ，Ｂに使用された高輝度発光ダイオードと同様に、径が１０φタイプのもので、３．６Ｖ、３０ｍＡで駆動し、９０００ｍｃｄの輝度を持つものである。
【００２７】
また、この照明付き眼鏡フレームＣの眼鏡レンズの取り付け部は、図１３に示すように、ボデイ３０の下面に溝部３５が形成されており、この溝部３５に図示しないレンズを固定するものである。そのため、溝部３５の内側には図示しない突起が形成され、前述した照明付き眼鏡フレームＢのボデイ２０と同様に図示しないレンズを固定するものである。（図９、図１０参照）
【００２８】
このように構成された照明付き眼鏡フレームＣは、眼鏡フレームのテンプルに一体に発光部が取り付けられているので、眼鏡を使用しない場合でもボディ２０のみを照明装置として使用できるので、使い勝手が良く、手元を明るくして視認性を向上させることができ、非常に利便性に優れている。また、重量のかさむ電池ボックス１５を別体とすることによりボディ２０を軽くすることができるので、照明付き眼鏡フレーム全体を軽くすることができ、照明付き眼鏡フレームを使用する場合の疲労感を軽減できる。
【００２９】
この照明付き眼鏡フレームＣは、照明付き眼鏡フレームＡ，Ｂと同様に夜間や暗所の様々な場所で使用することができる。例えば、自宅内の暗所、会社の事務所内、公共建物内、映画館内、講演会場内、研究所内、精密機器製作場所、電車の室内、乗用車の室内、バスの室内、飛行機の室内等、あらゆる場所において使用可能なものである。
【００３０】
【発明の効果】
以上のように、本発明の照明付き眼鏡フレームは、眼鏡フレームと、前記眼鏡フレームに着脱自在に取り付けらた発光部を有するボディとからなり、前記ボディは、下面に前記眼鏡フレームを挟み込む溝部が形成されると共に該溝部には前記眼鏡フレームを固定するための複数の突起が形成され、前記ボディの端部には別体に形成された前記発光部の駆動用電池ボックスに接続する接続コネクタ部が設けられ、前記ボディの内部には前記発光部と接続コネクタ部を接続する配線ケーブルが埋め込まれていることにより、既存の眼鏡フレーム１にボデイ１０をワンタッチで簡単に着脱できるので、使い勝手が良く、手元を明るくして視認性を向上させることができ、非常に利便性に優れている。また、重量のかさむ電池ボックスを別体とすることによりボディを軽くすることができるので、照明付き眼鏡フレーム全体を軽くすることができ、照明付き眼鏡フレームを使用する場合の疲労感を軽減できるという効果を奏するものである。
【００３１】
また、発光部１２に高輝度発光ダイオードを使用しているので、発光部を小型軽量化することができ、明るく発熱することがなく白熱ランプに比べてはるかに長寿命であり、しかも消費電力が極端に少ないのでバッテリも小型化することができ、携帯に非常に便利になにるという効果を奏する。
【００３２】
また、本発明の照明付き眼鏡フレームは、略眼鏡フレーム形状に形成されたボディの略中央部に複数の高輝度発光ダイオードから構成された発光部が設けられ、前記ボディの前記発光部近傍には眼鏡レンズの取り付け部が形成されると共に前記ボディの端部には別体に形成された前記発光部の駆動用電池ボックスに接続する接続コネクタ部が設けられ、前記ボディの内部には前記発光部と接続コネクタ部を接続する配線ケーブルが埋め込まれていることるにより、眼鏡フレームに一体に発光部が取り付けられているので、眼鏡を使用しない場合でもボディのみを照明装置として使用できるので、使い勝手が良く、手元を明るくして視認性を向上させることができ、非常に利便性に優れるという効果を奏する。
【００３３】
さらに、本発明の照明付き眼鏡フレームは、略眼鏡フレーム形状に形成されたボディのテンプルに前方を照明するように一体に形成された発光部が設けられ、前記ボディの中央部近傍には眼鏡レンズの取り付け部が形成されると共に  前記ボディの端部には別体に形成された前記発光部の駆動用電池ボックスに接続する接続コネクタ部が設けられ、前記ボディの内部には前記発光部と接続コネクタ部を接続する配線ケーブルが埋め込まれていることにより、眼鏡フレームのテンプルに一体に発光部が取り付けられているので、眼鏡を使用しない場合でもボディのみを照明装置として使用できるので、使い勝手が良く、手元を明るくして視認性を向上させることができるという効果を奏する。
【図面の簡単な説明】
【図１】本発明に係る照明付き眼鏡フレームの第１の実施の形態を示す正面図である。
【図２】図１の照明付き眼鏡フレームの構造を示す上面の平面図である。
【図３】図１の照明付き眼鏡フレームの構造を示す下面の平面図である。
【図４】図１の照明付き眼鏡フレームにおける照明の回路図である。
【図５】図１の照明付き眼鏡フレームにおけるボデイの固定構造を示す一部破断の側面図である。
【図６】本発明に係る照明付き眼鏡フレームの第２の実施の形態を示す平面図である。
【図７】図６の照明付き眼鏡フレームの正面図である。
【図８】図６の照明付き眼鏡フレームにおける照明の回路図である。
【図９】図６の照明付き眼鏡フレームにおけるレンズの固定構造を示す一部破断の側面図である。
【図１０】図６の照明付き眼鏡フレームに使用するレンズの平面図である。
【図１１】本発明に係る照明付き眼鏡フレームの第２の実施の形態を示す平面図である。
【図１２】図１１の照明付き眼鏡フレームの正面図である。
【図１３】図１１の照明付き眼鏡フレームの構造を示す斜視図である。
【符号の説明】
Ａ      照明付き眼鏡フレーム
Ｂ      照明付き眼鏡フレーム
Ｃ      照明付き眼鏡フレーム
１      眼鏡フレーム
２      レンズ
３      レンズ
１０      ボデイ
１１      発光部
１１ａ    高輝度発光ダイオード
１１ｂ    高輝度発光ダイオード
１１ｃ    高輝度発光ダイオード
１２      配線ケーブル
１３      接続コネクタ部
１４      接続プラグ
１５      電池ボックス
１６      充電式バッテリ
１７      スイッチ
１８      接続ケーブル
１９      溝部
１９ａ    突起
１９ｂ    突起
１９ｃ    突起
１９ｄ    突起
２０      ボデイ
２１      発光部
２１ａ    高輝度発光ダイオード
２１ｂ    高輝度発光ダイオード
２１ｃ    高輝度発光ダイオード
２３      接続コネクタ部
２４      配線ケーブル
２５      折り曲げ部
２６      開閉接点部
２７      溝部
３０      ボデイ
３１      テンプル
３２      発光部
３２ａ    高輝度発光ダイオード
３３      接続コネクタ部
３４      配線ケーブル
３５      溝部
【図１】
2004163839.tif 000003
【図２】
2004163839.tif 000004
【図３】
2004163839.tif 000005
【図４】
2004163839.tif 000006
【図５】
2004163839.tif 000007
【図６】
2004163839.tif 000008
【図７】
2004163839.tif 000009
【図８】
2004163839.tif 000010
【図９】
2004163839.tif 000011
【図１０】
2004163839.tif 000012
【図１１】
2004163839.tif 000013
【図１２】
2004163839.tif 000014
【図１３】
2004163839.tif 000015